(57)【要約】【課題】組み立てが容易であって、且つ、緩衝部材の脱落が防止できる、衝突音の低減が可能な筆記用具を提供すること。【解決手段】  インキ又は芯粉を紙葉類に塗布可能に形成された筆記部３２を有する複数の筆記体１１と、その先端に筆記部３２を支持する小孔２２ａがする大先１６と、端部に軸心方向に沿って形成された複数の孔部２０を有し、大先１６とともに筆記体１１を収納する軸筒１５と、筆記体１１に設けられ、孔部２０に沿って移動可能に形成された作動子４２と、作動子４２に設けられた環状の緩衝部材４６と、軸筒１５内に設けられ、その端部が緩衝部材４６と当接する規制部４５と、軸筒１５の端部に向かって作動子４２を付勢する付勢部材４３と、を備える構成とする。【選択図】      図１
2015145102.tif 000002
【特許請求の範囲】
【請求項１】
インキ又は芯粉を紙葉類に塗布可能に形成された筆記部を有する複数の筆記体と、
その先端に前記筆記部を支持する小孔を有する大先と、
軸心方向に沿って形成された複数の孔部を有し、前記大先とともに前記筆記体を収納する軸筒と、
前記筆記体に設けられ、前記孔部に沿って移動可能に形成された作動子と、
前記作動子に設けられた環状の緩衝部材と、
前記軸筒内に設けられ、その端部が前記緩衝部材と当接する規制部と、
前記軸筒の端部に向かって前記作動子を付勢する付勢部材と、
を備えることを特徴とする筆記用具。
【請求項２】
前記規制部は、前記軸筒内に設けられるとともに、前記孔部よりも前記大先側に設けられ、
前記作動子は、前記付勢部材を支持するとともに、前記緩衝部材に隣接して設けられた鍔部を備えることを特徴とする請求項１に記載の筆記用具。
【請求項３】
前記作動子は、前記鍔部に隣接して設けられ、前記緩衝部材を固定する溝部を備えることを特徴とする請求項２に記載の筆記用具。
【請求項４】
前記作動子は、その一方の端部から前記付勢部材までの長さが、前記規制部の前記端部から前記孔部の前記作動子の他方の端部と対向する端部までの長さよりも短く形成されていることを特徴とする請求項１に記載の筆記用具。
【請求項５】
前記筆記体は、ボールペン又はシャープペンシルのレフィルであることを特徴とする請求項１に記載の筆記用具。
【発明の詳細な説明】
【技術分野】
【０００１】
本発明は、複数の筆記体を有する筆記用具に関する。
【背景技術】
【０００２】
現在、ボールペンのレフィルやシャープペンシルのレフィル等の筆記体を複数設け、外郭部材に設けられた孔部に沿って移動する作動子によって、いずれか一の筆記体を、筆記用具の先端を構成する大先の孔部から突出させる筆記用具が知られている。
【０００３】
この筆記用具は、作動子を操作して一の筆記体の先端を突出させることで筆記可能とするとともに、使用後は、スプリングの付勢によって作動子を元の位置に戻すことで、突出した筆記体を収納する。
【０００４】
このとき、スプリングの付勢によって作動子を戻すことから、作動子が筆記用具の外郭部材と衝突し、衝突音が発生する。このような音は、静かな環境で筆記用具が使用される場合には、雑音の原因となる。このため、衝突音の発生を防止可能な筆記用具として、作動子の頂部と外郭部材の孔部の端部との間に、樹脂材料等で形成された音を低減可能な緩衝部材を介在させることで、衝突音の発生を防止する技術が知られている（例えば、特許文献１及び特許文献２参照）。
【先行技術文献】
【特許文献】
【０００５】
【特許文献１】特開２００６−６２１００号公報
【特許文献２】実願平５−２８６８７号公報
【発明の概要】
【発明が解決しようとする課題】
【０００６】
上述した筆記用具では、以下の問題があった。即ち、作動子の頂部と外郭部材の孔部との間に緩衝部材を設ける筆記用具では、作動子の操作が繰り返されると、緩衝部材が脱落する虞があった。また、緩衝部材は、嵌合や接着剤により、作動子又は外郭部材の孔部に固定されることから、組み立て作業が複雑となる、という問題もある。
【０００７】
そこで本発明は、組み立てが容易であって、且つ、緩衝部材の脱落が防止できる、衝突音の低減が可能な筆記用具を提供することを目的としている。
【課題を解決するための手段】
【０００８】
前記課題を解決し目的を達成するために、本発明の筆記用具は次のように構成されている。
【０００９】
本発明の一態様の筆記用具は、インキ又は芯粉を紙葉類に塗布可能に形成された筆記部を有する複数の筆記体と、その先端に前記筆記部を支持する小孔を有する大先と、軸心方向に沿って形成された複数の孔部を有し、前記大先とともに前記筆記体を収納する軸筒と、前記筆記体に設けられ、前記孔部に沿って移動可能に形成された作動子と、前記作動子に設けられた環状の緩衝部材と、前記軸筒内に設けられ、その端部が前記緩衝部材と当接する規制部と、前記軸筒の端部に向かって前記作動子を付勢する付勢部材と、を備える。
【発明の効果】
【００１０】
本発明によれば、組み立てが容易であって、且つ、緩衝部材の脱落が防止できる、騒音の低減が可能な筆記用具を提供することが可能となる。
【図面の簡単な説明】
【００１１】
【図１】本発明の第１の実施形態に係る筆記用具の構成を示す断面図。
【図２】同筆記用具構成を示す断面図。
【図３】同筆記用具に用いられる外郭部材及び作動子の構成を示す断面図。
【図４】同外郭部材及び作動子の構成を示す断面図。
【図５】同作動子の構成を示す側面図。
【図６】本発明の第２の実施形態に係る筆記用具の構成を示す断面図。
【発明を実施するための形態】
【００１２】
（第１の実施形態）
以下、本発明の第１の実施形態に係る筆記用具１を、図１乃至図５を用いて説明する。  
図１は本発明の第１の実施形態に関わる筆記用具１の構成を断面で示す説明図、図２は筆記用具１の構成であって、筆記用具１の使用時の状態を示す断面図、図３は筆記用具１の要部構成、具体的には、外郭部材１０の軸筒１５及び駆動機構１２の一部構成を示す断面図、図４は駆動機構１２に用いられる作動子４２、規制部４５及び緩衝部材４６の構成を、図３中、ＩＶ−ＩＶ線断面で示す断面図、図５は作動子４２及び緩衝部材４６の構成を示す側面図である。
【００１３】
図１及び図２に示すように、筆記用具１は、所謂スライド式と呼ばれる複数の筆記体が用いられるボールペンから成る筆記用具、又は、ボールペン及びシャープペンシルが一体となった筆記用具等である。本実施の形態においては、筆記用具１は、複数のボールペンのレフィルである筆記体１１を備える構成を用いて説明する。
【００１４】
図１及び図２に示すように、筆記用具１は、外郭部材１０と、複数の筆記体１１と、これら筆記体１１の一部を外郭部材１０から出没させる駆動機構１２と、を備えている。
【００１５】
外郭部材１０は、軸筒１５と、大先１６と、グリッパー１７と、を備えている。軸筒１５は、樹脂材料により形成され、筆記体１１の一部及び駆動機構１２を収納する。図３に示すように、軸筒１５は、その一端が開口するとともに、他端が閉塞する筒状に形成されている。
【００１６】
図１乃至図３に示すように、軸筒１５は、その一端側に大先１６と螺合する雌螺子部１９を有している。また、軸筒１５は、その他端側に、駆動機構１２の一部、具体的には後述する作動子４２の移動を案内する直線的に延設された複数の孔部２０を備えている。孔部２０は、筆記体１１と同数設けられ、筆記用具１の軸心方向に沿って延設されている。
【００１７】
大先１６は、その一端側が他端側よりも小径の先細形状に形成され、両端が開口する筒状に形成されている。なお、大先１６の一端側は、筆記用具１の先端を形成する。大先１６は、軸筒１５とともに、筆記体１１を収容可能に形成されている。
【００１８】
具体的に説明すると、大先１６は、先細形状の筒状に形成される。大先１６は、その一端側に形成され、先端に小孔２２ａが形成された先端部２２と、その他端の開口に形成され、軸筒１５の雌螺子部１９と螺合する雄螺子部２３と、先端部２２及び雄螺子部２３の間に設けられ、グリッパー１７を挿入し、且つ、支持可能に形成された挿入部２４と、を備えている。
【００１９】
先端部２２は、挿入部２４側から先端に向かって漸次縮径する曲面によって略円錐状に形成され、その先端に小孔２２ａが形成される。小孔２２ａは、筆記体１１の後述する筆記部３２の外径と略同一径又は若干大径となる内径に形成されている。挿入部２４は、その外径が、隣接する先端部２２の外径よりも小径に形成されるとともに、グリッパー１７の内径と略同一又は若干小径に形成されている。
【００２０】
グリッパー１７は、例えばシリコンゴム等のエラストマー樹脂により形成されている。グリッパー１７は、筆記用具１の使用者が当該筆記用具１を握持した際に、使用者の指とフィットし、且つ、適度な抵抗（摩擦力）を発生させて滑りを防止可能に形成されている。
【００２１】
筆記体１１は、所謂レフィル等の芯体である。筆記体１１は、インキ管３１と、筆記部３２と、を備えている。インキ管３１は、その内部にインキを収容する。なお、複数の筆記体１１は、例えば、異なる色のインキが収容されたインキ管３１が用いられる。
【００２２】
筆記部３２は、インキ管３１に接続され、インキを紙葉類に塗布可能に形成されている。筆記部３２は、円筒状に形成されるとともに、その先端が円錐状に形成される。筆記部３２は、円錐状の先端にボールを回転可能に支持するチップである。
【００２３】
図１乃至図５に示すように、駆動機構１２は、固定子４１と、作動子４２と、付勢部材４３と、支持部材４４と、規制部４５と、緩衝部材４６と、を備えている。固定子４１は、軸筒１５に設けられ、孔部２０の内側縁から互いに対向する内側縁に向かって突出し、且つ、孔部２０の一端側から他端側中途部に向かって延設する作動子４２を案内する突起である。
【００２４】
作動子４２は、筆記体１１に接続される。作動子４２は、孔部２０及び固定子４１に沿って移動する移動体４２ａと、移動体４２ａの一端側に設けられ、孔部２０から外部に突出する操作部４２ｂと、移動体４２ａの他端側に設けられ、付勢部材４３を接続する鍔部４２ｃと、移動体４２ａの他端に設けられ、インキ管３１を固定する嵌合部４２ｄと、を備えている。
【００２５】
また、作動子４２は、移動体４２ａの他端に設けられた固定子４１と係合可能な切欠部４２ｅと、移動体４２ａの軸筒１５の内部側に位置する側面に設けられ、他の移動体４２ａと当接する当接体４２ｆと、鍔部４２ｃと隣接する移動体４２ａの一部に形成された溝部４２ｇと、を備えている。作動子４２は、移動体４２ａ、操作部４２ｂ、鍔部４２ｃ、嵌合部４２ｄ、切欠部４２ｅ、当接体４２ｆ及び溝部４２ｇが、樹脂成型等によって一体に形成されている。
【００２６】
移動体４２ａは、操作部４２ｂが操作されることで、孔部２０、固定子４１及び規制部４５に沿って移動可能に形成される。移動体４２ａは、その切欠部４２ｅが設けられた端部から溝部４２ｇの操作部４２ｂ側の端面までの長さが、孔部２０の一方の端部、換言すると孔部２０の切欠部４２ｅと対向する端部から規制部４５の端部までの長さよりも短く形成されている。
【００２７】
換言すると、移動体４２ａは、作動子４２が待機状態（待機位置）であるときに、孔部２０の切欠部４２ｅが対向する端部から離間して配置される。なお、ここで、作動子４２の待機状態とは、筆記用具１を使用せずに、大先１６の小孔２２ａから筆記部３２が突出していない状態であり、待機位置とは、待機状態での作動子４２の位置である。
【００２８】
移動体４２ａは、固定子４１の端部に移動すると固定子４１を乗り越えて軸筒１５の内部方向に進入し、これにより、切欠部４２ｅが固定子４１の端部とが係合することで、作動子４２の移動が規制される。
【００２９】
操作部４２ｂは、孔部２０に配置され、軸筒１５の外周面から突出することで、使用者が操作可能に形成されている。鍔部４２ｃは、移動体４２ａの一方の端部よりも外部に突出して形成され、付勢部材４３を支持可能に形成される。嵌合部４２ｄは、円柱状又は先端が拡径する突起状に形成され、インキ管３１に挿入されることで、インキ管３１を嵌合固定可能に形成されている。
【００３０】
当接体４２ｆは、作動子４２が固定子４１の端部側に向かって移動した際に、その切欠部４２ｅが、固定子４１と係合した他の作動子４２の当接体４２ｆと当接可能に形成されている。当接体４２ｆは、当該他の当接体４２ｆと当接することで、当該他の当接体４２ｆを介して他の作動子４２を軸筒１５の外部方向に押圧し、固定子４１と切欠部４２ｅとの係合を解除可能に形成されている。溝部４２ｇは、緩衝部材４６を挿入し、緩衝部材４６を固定可能に形成されている。
【００３１】
付勢部材４３は、鍔部４２ｃ及び支持部材４４間に配置され、鍔部４２ｃを介して作動子４２を付勢可能に形成されたコイルバネである。即ち、付勢部材４３は、作動子４２が移動し、切欠部４２ｅと固定子４１の端部とが係合した場合に、作動子４２が孔部２０の一端側（待機位置）へと移動する方向に作動子４２を付勢する。
【００３２】
支持部材４４は、軸筒１５内に固定される。支持部材４４は、インキ管３１を挿通可能、且つ、付勢部材４３を支持可能に形成されている。
【００３３】
規制部４５は、軸筒１５の内周面に設けられた複数の突起やリブ等である。規制部４５は、溝部４２ｇに固定された緩衝部材４６に当接可能に形成されている。具体的には、規制部４５は、例えば、軸筒１５の内周面であり、且つ、隣合う孔部２０間であって、その端部が孔部２０よりも大先１６（雌螺子部１９）側に設けられる。規制部４５は、例えば、軸筒１５に一体に形成される。なお、規制部４５は、軸筒１５と別体に設けられてもよい。
【００３４】
緩衝部材４６は、弾性材料、例えば、シリコンゴム、ＮＢＲ（acrylonitrile butadiene rubber）、又は、合成ゴムや天然ゴム等のエラストマー材料等により環状に形成された、例えばＯリングである。緩衝部材４６は、溝部４２ｇに嵌合され、規制部４５と当接可能に形成されている。緩衝部材４６は、作動子４２が操作され、その後、付勢部材４３によって元の位置に戻されたときに、規制部４５に接触し、当該接触時の衝撃を緩衝可能に形成されている。
【００３５】
次に、このように構成された筆記用具１の使用時の動作について説明する。  
筆記用具１の使用時において、まず、図１の待機状態から図２の筆記を行う筆記状態となるように、操作部４２ｂを操作して作動子４２をスライドさせる。これにより、筆記体１１が付勢部材４３に抗って移動し、筆記体１１の筆記部３２が大先１６の先端の小孔２２ａから突出する。
【００３６】
具体的には、操作部４２ｂの操作により移動体４２ａがスライドされ、終点まで移動すると、移動体４２ａが軸筒１５内へ移動するとともに、作動子４２の切欠部４２ｅが固定子４１と係合し、作動子４２が固定子４１により固定される。これにより、筆記部３２は、小孔２２ａから突出した状態が維持される。
【００３７】
この状態で、筆記用具１の使用者が紙体等の紙葉類に筆記部３２の先端のボールを当接させ、任意の筆運び方向に筆記用具１を移動させることで、筆運び方向と相対する筆記部３２の外周面の一部が小孔２２ａの内周面の一部と当接して筆記部３２が小孔２２ａに支持される。このため、筆記部３２は、所定の力で紙葉類に当接し、ボールが回転することで、紙葉類と摺動し、当該回転によりボールの表面に付着して排出されたインキ管３１内のインキが紙葉類上に塗布される。
【００３８】
使用者は、筆記用具１による筆記の終了後、固定子４１と係合する作動子４２とは他の待機位置の作動子４２を操作する。この操作によって、移動体４２ａが移動すると、当該移動する移動体４２ａに設けられた当接体４２ｆが、固定子４１と係合する作動子４２の当接体４２ｆと当接し、固定子４１と係合する作動子４２を軸筒１５の外側に向かって押圧する。これにより、固定子４１と係合する作動子４２は、固定子４１との係合が解除されて、付勢部材４３の付勢によって移動するとともに、規制部４５と緩衝部材４６が当接する。これにより、作動子４２は、元の位置（待機位置）に移動する。次に、使用者が操作した操作部４２ｂの操作を解除することで、当該作動子４２は、付勢部材４３の付勢によって規制部４５及び緩衝部材４６の当接する位置（待機位置）まで移動し、元の位置に戻る。
【００３９】
このように構成された筆記用具１によれば、操作された作動子４２が付勢部材４３の付勢によって待機位置に戻るときに、緩衝部材４６が規制部４５と当接することで、作動子４２の移動が規制される。また、作動子４２は、移動体４２ａの端部が孔部２０の端面に当接しない構成である。このため、緩衝部材４６によって、緩衝部材４６と規制部４５との当接時の衝撃が緩衝され、衝突音の発生を防止することが可能となる。また、緩衝部材４６が規制部４５に当接する時の衝撃が緩衝されることで、筆記部３２に付着したインキの飛散が防止される。
【００４０】
また、緩衝部材４６は、環状のＯリングであって、溝部４２ｇに嵌める簡単な構成である。このため、緩衝部材４６は、規制部４５及び緩衝部材４６の当接時に、規制部４５によって軸心に沿った方向に押圧されても、繰り返しの作動子４２の作動によって緩衝部材４６が溝部４２ｇから脱落することを防止可能となる。また、溝部４２ｇは、鍔部４２ｃに隣接して配置されることで、緩衝部材４６は、溝部４２ｇだけでなく、鍔部４２ｃにも支持される。このため、緩衝部材４６の脱落をより防止することが可能となる。
【００４１】
また、作動子４２の形成時に溝部４２ｇを設け、溝部４２ｇに緩衝部材４６を嵌める構成であることから、筆記用具１は、組立性もよく、また、製造コストを増大させることもない。
【００４２】
上述したように、第１の実施形態に係る筆記用具１によれば、作動子４２の移動による衝突音の低減が可能となるとともに、組み立てが容易であって、且つ、緩衝部材４６の脱落が防止できる。
【００４３】
（第２の実施形態）
次に、本発明の第２の実施形態に係る筆記用具１Ａの構成を、図６を用いて説明する。  
図６は、本発明の第２の実施形態に係る筆記用具１Ａの構成を示す断面図である。なお、図６中、上述した第１の実施形態に係る筆記用具１と同等の構成には同一符号を付し、その詳細な説明は省略する。
【００４４】
図６に示すように、筆記用具１Ａは、所謂スライド式と呼ばれるボールペン及びシャープペンシルが一体となった筆記用具である。具体的には、筆記用具１Ａは、複数のボールペンのレフィルである筆記体１１及びシャープペンシル機構のレフィルである筆記体１１Ａを備える。
【００４５】
図６に示すように、筆記用具１は、外郭部材１０Ａと、複数の筆記体１１、１１Ａと、これら筆記体１１、１１Ａの一部を外郭部材１０から出没させる駆動機構１２Ａと、を備えている。
【００４６】
外郭部材１０Ａは、軸筒１５Ａと、大先１６と、グリッパー１７と、を備えている。軸筒１５Ａは、樹脂材料により形成され、筆記体１１Ａの一部及び駆動機構１２Ａを収納する。軸筒１５Ａは、その両端が開口する筒状に形成されている。
【００４７】
軸筒１５Ａは、その一端側の開口に形成された、大先１６と螺合する雌螺子部１９と、その他端に形成され、駆動機構１２Ａの一部、具体的には後述するノック体４０の一部を挿入可能に形成された開口部１９Ａと、を有している。また、軸筒１５Ａは、その他端側に、その一部を作動子４２の移動を案内する直線的に延設された複数の孔部２０を備えている。孔部２０は、筆記体１１、１１Ａと同数設けられ、筆記用具１Ａの軸心方向に沿って延設されている。
【００４８】
筆記体１１Ａは、所謂シャープペンシルのレフィルである。筆記体１１Ａは、シャープペンシルの芯を挿入する芯管３１Ａと、芯を送り出すシャープペンシル機構である筆記部３２Ａと、を備えている。芯管３１Ａは、その内部に芯を収容する。
【００４９】
筆記部３２Ａは、芯管３１Ａに接続され、ノックされることで、内部に設けられたチャックが開閉し、芯を突出させ、芯粉を紙葉類に塗布可能に形成されている。
【００５０】
図６に示すように、駆動機構１２Ａは、ノック体４０と、ノック体４０に設けられた固定子４１と、作動子４２と、付勢部材４３と、支持部材４４と、ノック体４０に設けられた規制部４５と、緩衝部材４６と、を備えている。
【００５１】
ノック体４０は、異なる二つの外径を有する円筒状に形成され、軸筒１５内に進退可能に設けられる。ノック体４０は、少なくとも孔部２０と対向する位置に、作動子４２が移動可能に配置されるスリット状の切欠部４０ａを備えている。また、ノック体４０は、切欠部４０ａに固定子４１が形成されるとともに、規制部４５が、その切欠部４０ａに隣接する先端に一体に形成される。
【００５２】
このように構成された筆記用具１Ａは、筆記用具１と同様の効果を奏する。具体的には、筆記用具１Ａは、作動子４２の操作によって、筆記体１１、１１Ａを進退可能に形成されるとともに、ノック体４０に設けられた規制部４５と作動子４２に設けられた緩衝部材４６とが当接することで、作動子４２が付勢部材４３の付勢により元の位置（待機位置）に戻るときの衝撃を緩衝部材４６により吸収し、衝撃音の発生を防止可能となる。特に、緩衝部材４６により衝撃を吸収可能であることから、筆記体１１Ａにシャープペンシル機構を用いた場合でも、筆記部３２Ａのチャックに芯が保持された状態で、筆記部３２Ａに衝撃が加わることを防止可能となり、芯折れの発生が防止できる。
【００５３】
上述したように第２の実施形態に係る筆記用具１Ａによれば、作動子４２の移動による衝突音の低減が可能となるとともに、組み立てが容易であって、且つ、緩衝部材４６の脱落が防止できる。
【００５４】
なお、本発明は前記実施の形態に限定されるものではない。例えば、上述した例では、筆記用具１の筆記体１１、１１Ａをボールペンのレフィル及びシャープペンシル構造のフィルを用いる構成を説明したがこれに限定されず、消しゴム等のレフィルを用いる構成であってもよい。
【００５５】
また、上述した例では、溝部４２ｇを作動子４２に設け、この溝部４２ｇに緩衝部材４６を固定する構成を説明したが、これに限定されない。例えば、溝部４２ｇを設けず、鍔部４２ｃによって緩衝部材４６を支持する構成であってもよい。このような構成とすることで、規制部４６と対向する鍔部４２ｃの端面により緩衝部材４６が支持される構成であることから、緩衝部材４６の脱落を防止可能となる。但し、緩衝部材４６の脱落を防止するためには、溝部４２ｇを設ける構成がより好ましい。この他、本発明の要旨を逸脱しない範囲で種々変形実施可能である。
【符号の説明】
【００５６】
１、１Ａ…筆記用具、１０、１０Ａ…外郭部材、１１、１１Ａ…筆記体、１２、１２Ａ…駆動機構、１５、１５Ａ…軸筒、１６…大先、１７…グリッパー、１９…雌螺子部、１９Ａ…開口部、２０…孔部、２２ａ…小孔、２２…先端部、２３…雄螺子部、２４…挿入部、３１…インキ管、３１Ａ…芯管、３２、３２Ａ…筆記部、４０…ノック体、４０ａ…切欠部、４１…固定子、４２…作動子、４２ａ…移動体、４２ｂ…操作部、４２ｃ…鍔部、４２ｄ…嵌合部、４２ｅ…切欠部、４２ｆ…当接体、４２ｇ…溝部、４３…付勢部材、４４…支持部材、４５…規制部、４６…緩衝部材。
【図１】
2015145102.tif 000003
【図２】
2015145102.tif 000004
【図３】
2015145102.tif 000005
【図４】
2015145102.tif 000006
【図５】
2015145102.tif 000007
【図６】
2015145102.tif 000008